【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
ユーザに提示する広告を決定するためにコンピュータシステムによって実行される方法であって、
コンピュータシステムによって、或るビデオのためのビデオスコアを維持することと、ここで、前記ビデオスコアは、前記ビデオを見た複数のユーザから該コンピュータシステムにより受信された該ユーザの相互作用を表す１以上の計量値に基づいて維持され、
前記コンピュータシステムによって、前記ビデオに関連付けられた１つの広告を、或るユーザに提示するための候補となる広告として特定することと、
前記コンピュータシステムによって、前記ユーザが前記広告に興味を持つ可能性の測定値を示す該広告についての広告スコアを、前記ビデオの前記ビデオスコアに少なくとも部分的に基づいて計算することと、
前記コンピュータシステムによって、前記計算された広告スコアに少なくとも部分的に基づいて、前記ユーザに前記広告を提示することを選択することと、
前記広告を提示するとの選択に応じて、前記コンピュータシステムによって、前記広告を、前記ユーザに広告を提示するように構成された装置に対して送信すること、
を備える方法。
【請求項２】
前記１つの広告を特定することは、
イベントを検出するために、ビデオホスティングサービスとのユーザの相互作用をモニターすることと、
イベント検出に応じて、該検出したイベントに基づき前記１つの広告を特定すること、を含む請求項１の方法。
【請求項３】
前記モニターされるイベントは、ユーザから検索クエリーを受信することである、請求項２の方法。
【請求項４】
前記モニターされるイベントは、ビデオにアクセスするためのリクエストをユーザから受信することである、請求項２の方法。
【請求項５】
前記モニターされるイベントは、特定のタイプのウェブページにアクセスするためのリクエストをユーザから受信することである、請求項２の方法。
【請求項６】
前記検出したイベントに基づき前記１つの広告を特定することは、
前記検出したイベントに少なくとも部分的に基づき１以上の検索語を特定することと、
前記１以上の検索語に少なくとも部分的に基づき前記１つの広告を特定すること、を含む請求項２の方法。
【請求項７】
リクエストしたビデオにアクセスするためのリクエストをユーザから受信するというイベントを検出することに応じて、前記１以上の検索語を特定することは、
リクエストされたビデオのメタデータを走査することと、
該リクエストされたビデオのメタデータ内に現れる語から１以上の検索語を特定すること、を含む請求項６の方法。
【請求項８】
前記特定された１以上の検索語は、或る設定された数からなる、前記リクエストされたビデオのメタデータ内にしばしば現れる語である、請求項７の方法。
【請求項９】
前記特定された１以上の検索語は、前記リクエストされたビデオのメタデータ内において高い関連性を持つ１以上の語である、請求項７の方法。
【請求項１０】
特定のタイプのウェブページにアクセスするためのリクエストをユーザから受信するというイベントを検出することに応じて、前記１以上の検索語を特定することは、
リクエストされたウェブページの内容を走査することと、
該ウェブページ内に現れる語から１以上の検索語を特定すること、を含む請求項６の方法。
【請求項１１】
前記特定された１以上の検索語は、或る設定された数からなる、前記ウェブページ内にしばしば現れる語である、請求項１０の方法。
【請求項１２】
前記特定された１以上の検索語は、前記ウェブページ内において高い関連性を持つ１以上の語である、請求項１０の方法。
【請求項１３】
前記ビデオスコアは、１以上の興味スコアに基づいて計算され、各興味スコアは、該ビデオに対するアクセスの実態に関して決定された１以上のアクセス計量値に少なくとも部分的に基づいて計算される、請求項１の方法。
【請求項１４】
或る追加ユーザが前記ビデオにアクセスすることに応じて、該追加ユーザと該ビデオを提示するエンティティとの間の相互作用に関する相互作用データを収集することと、
該収集されたデータに少なくとも部分的に基づいて、該ビデオに対するアクセスの実態についての１以上のアクセス計量値を決定することと、
前記１以上のアクセス計量値に少なくとも部分的に基づいて、興味スコアを計算すること、
を更に備える請求項１３の方法。
【請求項１５】
前記収集された相互作用データは、前記ビデオを提示するエンティティにおいて前記追加ユーザによってなされた選択及び提供された情報に関するデータである、請求項１４の方法。
【請求項１６】
前記ビデオを提示するエンティティは、ウェブページである、請求項１４の方法。
【請求項１７】
前記ビデオを提示するエンティティは、ビデオプレーヤである、請求項１４の方法。
【請求項１８】
１つの前記アクセス計量値は、前記追加ユーザによって該ビデオが見られた時間量である、請求項１３の方法。
【請求項１９】
１つの前記アクセス計量値は、前記追加ユーザによって見られた該ビデオのパーセンテージである、請求項１３の方法。
【請求項２０】
１つの前記アクセス計量値は、該ビデオの所定パーセントが前記追加ユーザによって見られたかどうかに基づいている、請求項１３の方法。
【請求項２１】
１つの前記アクセス計量値は、該ビデオが前記追加ユーザによって見られた回数である、請求項１３の方法。
【請求項２２】
１つの前記アクセス計量値は、前記追加ユーザによって該ビデオに付与された格付けである、請求項１３の方法。
【請求項２３】
１つの前記アクセス計量値は、該ビデオが前記追加ユーザのお気に入りとして追加されたかどうかに基づいている、請求項１３の方法。
【請求項２４】
１つの前記アクセス計量値は、該ビデオがウェブページ上で共有されているかどうか又は他のユーザと共有されているかどうかに基づいている、請求項１３の方法。
【請求項２５】
１つの前記アクセス計量値は、該ビデオについてのコメントが前記追加ユーザによって提供されたかどうかに基づいている、請求項１３の方法。
【請求項２６】
１つの前記アクセス計量値は、前記追加ユーザによって提供されたコメントが肯定的なコメントかどうかに基づいている、請求項１３の方法。
【請求項２７】
１つの前記アクセス計量値は、前記追加ユーザによって提供されたコメントが中立的なコメントかどうかに基づいている、請求項１３の方法。
【請求項２８】
１つの前記アクセス計量値は、前記追加ユーザによって提供されたコメントが否定的なコメントかどうかに基づいている、請求項１３の方法。
【請求項２９】
前記ビデオスコアは、１以上の興味スコアの重み付けされた組み合わせである、請求項１３の方法。
【請求項３０】
前記ビデオスコアは、１以上の興味スコアの平均値からなる組み合わせである、請求項１３の方法。
【請求項３１】
前記ビデオに関連付けられた前記特定された広告についての前記広告スコアを計算することは、
１以上の集計されたアクセス計量値に少なくとも部分的に基づいて前記ビデオスコアを更新することと、ここで、前記集計されたアクセス計量値の各々は、該ビデオの視聴に関連するユーザ相互作用の現在進行中の測定値であり、
前記ビデオスコアに少なくとも部分的に基づいて前記広告についての前記広告スコアを計算すること、
を含む請求項１の方法。
【請求項３２】
前記ビデオスコアを更新することは、
或る追加ユーザが前記ビデオにアクセスすることに応じて、該追加ユーザと該ビデオを提示するエンティティとの間の相互作用に関する相互作用データを収集することと、
該収集されたデータに少なくとも部分的に基づいて、１以上の前記集計されたアクセス計量値を更新することと、
前記更新された１以上の前記集計されたアクセス計量値に少なくとも部分的に基づいて、前記ビデオスコアを更新すること、
を含む請求項３１の方法。
【請求項３３】
前記収集された相互作用データは、前記ビデオを提示するエンティティにおいて前記追加ユーザによってなされた選択及び入力された情報についてのデータである、請求項３２の方法。
【請求項３４】
前記ビデオを提示するエンティティは、ウェブページである、請求項３２の方法。
【請求項３５】
前記ビデオを提示するエンティティは、ビデオプレーヤである、請求項３２の方法。
【請求項３６】
１つの前記集計されたアクセス計量値は、複数ユーザによって該ビデオが見られた時間の平均量である、請求項３１の方法。
【請求項３７】
１つの前記集計されたアクセス計量値は、複数ユーザによって見られた該ビデオの平均パーセンテージに基づいている、請求項３１の方法。
【請求項３８】
１つの前記集計されたアクセス計量値は、該ビデオの所定パーセントが複数ユーザによって見られた合計回数に基づいている、請求項３０の方法。
【請求項３９】
１つの前記集計されたアクセス計量値は、該ビデオが複数ユーザによって見られた合計回数に基づいている、請求項３１の方法。
【請求項４０】
１つの前記集計されたアクセス計量値は、複数ユーザ者によって該ビデオに付与された格付けの平均に基づいている、請求項３１の方法。
【請求項４１】
１つの前記集計されたアクセス計量値は、該ビデオが複数ユーザのお気に入りとして追加された合計数に基づいている、請求項３１の方法。
【請求項４２】
１つの前記集計されたアクセス計量値は、該ビデオがウェブページ上で複数ユーザによって共有されている又はその他の複数ユーザと共有されている合計数に基づいている、請求項３１の方法。
【請求項４３】
１つの前記集計されたアクセス計量値は、該ビデオが複数ユーザから受信したコメントの合計数に基づいている、請求項３１の方法。
【請求項４４】
１つの前記集計されたアクセス計量値は、該ビデオが複数ユーザから受信した肯定的なコメントの合計数に基づいている、請求項３１の方法。
【請求項４５】
１つの前記集計されたアクセス計量値は、該ビデオが複数ユーザから受信した中立的なコメントの合計数に基づいている、請求項３１の方法。
【請求項４６】
１つの前記集計されたアクセス計量値は、該ビデオが複数ユーザから受信した否定的なコメントの合計数に基づいている、請求項３１の方法。
【請求項４７】
前記広告について計算された前記広告スコアは、千回掲載当たりの広告料金の予測値（ｅＣＰＭ）であり、
該ｅＣＰＭを計算することは、
１以上の広告計量値に少なくとも部分的に基づいて該広告についての予測クリック率（ｐＣＴＲ）を計算することと、
前記計算されたｐＣＴＲ及び該広告に関連付けられた１クリック毎のコスト（ＣＰＣ）値に少なくとも部分的に基づいて前記ｅＣＰＭを計算すること、
を含む、請求項１の方法。
【請求項４８】
前記ｐＣＴＲの計算で使用される広告計量値は、複数広告によって該広告がクリックされた合計回数である、請求項４７の方法。
【請求項４９】
前記ｐＣＴＲの計算で使用される広告計量値は、該広告が複数広告に提示された合計回数である、請求項４７の方法。
【請求項５０】
前記ｐＣＴＲは、前記１以上の広告計量値と、前記ビデオスコアと、前記ビデオと前記ユーザが見たことのある及びアップロードしたことのある複数の追加ビデオとの間の類似性を示す最終的な比較測定値との関数である、請求項４７の方法。
【請求項５１】
前記広告の作成中に前記ビデオを該広告に関連付けるようプロモータがリクエストする、請求項１の方法。
【請求項５２】
或るビデオのためのビデオスコアを維持するように構成された命令と、ここで、前記ビデオスコアは、前記ビデオを見た複数のユーザからコンピュータシステムにより受信された該ユーザの相互作用を表す１以上の計量値に基づいて維持され、
前記ビデオに関連付けられた１つの広告を、或るユーザに提示するための候補となる広告として特定するように構成された命令と、
前記ユーザが前記広告に興味を持つ可能性の測定値を示す該広告についての広告スコアを、前記ビデオの前記ビデオスコアに少なくとも部分的に基づいて計算するように構成された命令と、
前記計算された広告スコアに少なくとも部分的に基づいて、前記ユーザに前記広告を提示することを選択するように構成された命令と、
前記広告を提示するとの選択に応じて、前記広告を、前記ユーザに広告を提示するように構成された装置に対して送信するように構成された命令と
からなる実行可能なコンピュータプログラムの命令群を記憶したコンピュータ読み取り可能な記憶媒体。